(57)【要約】【課題】現像装置の現像剤搬送路における現像剤の滞留を抑制して現像剤の搬送性の向上を図った現像装置とこれを用いる画像形成装置を提供する。【解決手段】現像剤が収容される現像槽１１１と、現像剤が搬送される第１搬送路Ｐ及び第２搬送路Ｑと、第１搬送路Ｐ及び第２搬送路Ｑ内に設けられて現像剤を撹拌しながら搬送する第１搬送部材１１２及び第２搬送部材１１３と、現像ローラ１１４と、第１搬送路Ｐにトナーを補給するためのトナー補給口１１５ａを備えた現像装置２において、第１搬送路Ｐ及び第２搬送路Ｑを、第１搬送路Ｐの現像剤搬送方向下流側の端部の底面Ｐ２が第２搬送路Ｑの現像剤搬送方向上流側の端部の底面Ｑ１より高くなるように構成し、第１搬送路Ｐ及び第１搬送部材１１２を、現像剤搬送方向の下流側が上流側よりも高くなるように傾斜して設けることを特徴とするものとする。【選択図】図６
2010160253.tif 000002
【特許請求の範囲】
【請求項１】
トナーと磁性キャリアとを含む現像剤が収容される現像剤収容部と、前記現像剤収容部内に仕切り壁によって区画され、前記仕切り壁の両端において連通した第１搬送路及び第２搬送路と、前記第１搬送路及び前記第２搬送路内に設けられて前記第１搬送路及び前記第２搬送路内の現像剤を互いに逆方向に撹拌しながら循環搬送する第１搬送部材及び第２搬送部材と、前記第２搬送路内の現像剤を担持してその現像剤に含まれるトナーを感光体ドラムへ供給する現像剤担持部材と、前記第１搬送路に補給トナーを導入するためのトナー補給口とを備えた現像装置において、
前記第１搬送路及び前記第２搬送路は、前記第１搬送路の現像剤搬送方向下流側の端部の底面が前記第２搬送路の現像剤搬送方向上流側の端部の底面より高くなるように構成され、
前記第１搬送路及び前記第１搬送部材は、現像剤搬送方向の下流側が上流側よりも高くなるように傾斜して設けられていることを特徴とする現像装置。
【請求項２】
前記第２搬送路及び前記現像剤担持部材は略水平に設けられ、
前記第１搬送路のみが傾斜して設けられていることを特徴とする請求項１に記載の現像装置。
【請求項３】
前記第１搬送路と前記第２搬送路は、前記第２搬送路の現像剤搬送方向下流側の端部の底面が、前記第１搬送路の現像剤搬送方向上流側の端部の底面より高くなるように構成されていることを特徴とする請求項２に記載の現像装置。
【請求項４】
前記第1搬送部材と前記第２搬送部材は、回転軸と、該回転軸の軸線方向に対して垂直方向に突出形成される螺旋状の羽根体を備えるスクリューオーガからなり、
前記羽根体のピッチが、現像剤搬送方向下流側のピッチより現像剤搬送方向上流側のピッチが長く構成されていることを特徴とする請求項１乃至３のうちの何れか一項に記載の現像装置。
【請求項５】
前記第１搬送路の現像剤搬送方向下流側の端部の底面と、前記第２搬送路の現像剤搬送方向上流側の端部の底面との高度差が、前記第２搬送部材の外径の０．３倍以上１．１倍以内であることを特徴とする請求項１乃至４のうちの何れか１項に記載の現像装置。
【請求項６】
前記第２搬送路の現像剤搬送方向下流側の端部の底面と、前記第１搬送路の現像剤搬送方向上流側の端部の底面との高度差が、前記第１搬送部材の外径の０．３倍以上１．１倍以内であることを特徴とする請求項３乃至５のうちの何れか一項に記載の現像装置。
【請求項７】
表面に静電潜像が形成される感光体ドラムと、感光体ドラム表面を帯電させる帯電装置と、感光体ドラム表面に静電潜像を形成する露光装置と、感光体ドラム表面の静電潜像にトナーを供給してトナー像を形成する現像装置と、感光体ドラム表面のトナー像を記録媒体に転写する転写装置と、前記転写されたトナー像を記録媒体に定着させる定着装置とを備え、電子写真方式によりトナーを用いて画像を形成する画像形成装置において、
前記現像装置として、請求項１乃至６のうちの何れか一項に記載の現像装置を用いることを特徴とする画像形成装置。
【発明の詳細な説明】
【技術分野】
【０００１】
本発明は、現像装置とこれを用いる画像形成装置に係り、特に、電子写真方式によりトナーを用いて画像形成を行う静電複写機、レーザープリンタ及びファクシミリ等の画像形成装置に採用されてトナーと磁性キャリアとを含む２成分現像剤を用いた現像装置とこれを用いる画像形成装置に関する。
【背景技術】
【０００２】
従来から、複写機、プリンタ及びファクシミリ等の電子写真方式の画像形成装置が知られている。電子写真方式の画像形成装置は、感光体ドラム（トナー像担持体）の表面に静電潜像を形成し、現像装置によって感光体ドラムに対してトナーを供給して前記静電潜像を現像し、現像によって感光体ドラムに形成されたトナー像を用紙等のシートに転写して、定着装置によってシートにトナー像を定着させるようになっている。
【０００３】
近年、フルカラー化や高画質化に対応した画像形成装置では、トナーの帯電安定性に優れる２成分現像剤（以下、単に「現像剤」と称する。）がよく使用されている。
【０００４】
この現像剤は、トナーとキャリアとからなり、それらを現像装置内で撹拌することによりトナーとキャリアとが摩擦し、この摩擦によって適正に帯電したトナーが得られる。
【０００５】
現像装置において、帯電したトナーは、現像剤担持部材、例えば、現像ローラの表面に供給される。この現像ローラに供給されたトナーは、静電的吸引力によって感光体ドラムに形成された静電潜像に移動する。これにより、感光体ドラム上に静電潜像に基づいたトナー像が形成される。
【０００６】
さらに、最近では、画像形成装置の高速化及び小型化が要求されており、現像剤の帯電を迅速且つ充分に行い、現像剤の搬送も迅速に行う必要が生じている。
【０００７】
そこで、画像形成装置において、補給されたトナーを現像剤中に即時に分散させて適切な帯電量を付与するために、循環方式の現像装置が採用されている。循環方式の現像装置は、現像剤が循環搬送される経路である現像剤搬送路と、現像剤搬送路にて現像剤を撹拌しながら搬送する現像剤搬送部材とを備えている（特許文献１を参照）。
【先行技術文献】
【特許文献】
【０００８】
【特許文献１】特開平１０−６３０８１号公報
【発明の概要】
【発明が解決しようとする課題】
【０００９】
上述した循環方式の現像装置では、現像装置内の現像剤のトナー濃度が所定値よりも下回った場合、トナーホッパーから現像剤搬送路へトナーが補給されるようになっている。
【００１０】
しかしながら、現像槽内の現像剤を攪拌しながら循環搬送すると、現像剤搬送路の下流の側において、現像剤が詰まり滞留が起こる。現像剤に対して長期間このような状態が続くと、トナーの流動性向上剤（外添剤）がトナー表面に埋没し、現像剤の流動性が極端に低下し、現像剤の搬送が困難になる現象が発生する。その結果、必要な現像剤が感光体ドラム表面に供給されずに、画像濃度が低下するという問題があった。
【００１１】
本発明は、上記従来の問題点に鑑みてなされたものであって、現像装置の現像剤搬送路における現像剤の滞留を抑制して現像剤の搬送性の向上を図った現像装置とこれを用いる画像形成装置を提供することを目的とする。
【課題を解決するための手段】
【００１２】
上述した課題を解決するための本発明に係る現像装置とこれを用いる画像形成装置は、次の通りである。
【００１３】
本発明は、トナーと磁性キャリアとを含む現像剤が収容される現像剤収容部と、前記現像剤収容部内に仕切り壁によって区画され、前記仕切り壁の両端において連通した第１搬送路及び第２搬送路と、前記第１搬送路及び前記第２搬送路内に設けられて前記第１搬送路及び前記第２搬送路内の現像剤を互いに逆方向に撹拌しながら循環搬送する第１搬送部材及び第２搬送部材と、前記第２搬送路内の現像剤を担持してその現像剤に含まれるトナーを感光体ドラムへ供給する現像剤担持部材（例えば、現像ローラ）と、前記第１搬送路に補給トナーを導入するためのトナー補給口とを備えた現像装置において、前記第１搬送路及び前記第２搬送路を、前記第１搬送路の現像剤搬送方向下流側の端部の底面が前記第２搬送路の現像剤搬送方向上流側の端部の底面より高くなるように構成し、前記第１搬送路及び前記第１搬送部材を、現像剤搬送方向の下流側が上流側よりも高くなるように傾斜して設けることを特徴とするものである。
【００１４】
前記トナー補給口は、前記第１搬送路の中央部より現像剤搬送方向上流側に設けることが好ましい。
【００１５】
また、本発明は、前記第２搬送路及び前記現像剤担持部材を略水平に設け、前記第１搬送路のみが傾斜して設けることが好ましい。
【００１６】
また、本発明は、前記第１搬送路と前記第２搬送路の構成として、前記第２搬送路の現像剤搬送方向下流側の端部の底面を、前記第１搬送路の現像剤搬送方向上流側の端部の底面より高くすることが好ましい。
【００１７】
また、本発明は、前記第1搬送部材と前記第２搬送部材の構成として、回転軸と、該回転軸の軸線方向に対して垂直方向に突出形成される螺旋状の羽根体を備えるスクリューオーガを用いて、前記羽根体のピッチを、現像剤搬送方向下流側のピッチより現像剤搬送方向上流側のピッチを長くすることが好ましい。
【００１８】
また、本発明は、前記第１搬送路の現像剤搬送方向下流側の端部の底面と、前記第２搬送路の現像剤搬送方向上流側の端部の底面との高度差を、前記第２搬送部材の外径の０．３倍以上１．１倍以内とすることが好ましい。
【００１９】
また、本発明は、前記第２搬送路の現像剤搬送方向下流側の端部の底面と、前記第１搬送路の現像剤搬送方向上流側の端部の底面との高度差を、前記第１搬送部材の外径の０．３倍以上１．１倍以内とすることが好ましい。
【００２０】
また、本発明は、表面に静電潜像が形成される感光体ドラムと、感光体ドラム表面を帯電させる帯電装置と、感光体ドラム表面に静電潜像を形成する露光装置と、感光体ドラム表面の静電潜像にトナーを供給してトナー像を形成する現像装置と、感光体ドラム表面のトナー像を記録媒体に転写する転写装置と、前記転写されたトナー像を記録媒体に定着させる定着装置とを備え、電子写真方式によりトナーを用いて画像を形成する画像形成装置において、前記現像装置として、請求項１乃至６のうちの何れか一項に記載の現像装置を用いることを特徴とするものである。
【発明の効果】
【００２１】
本発明によれば、トナーと磁性キャリアとを含む現像剤が収容される現像剤収容部と、前記現像剤収容部内に仕切り壁によって区画され、前記仕切り壁の両端において連通した第１搬送路及び第２搬送路と、前記第１搬送路及び前記第２搬送路内に設けられて前記第１搬送路及び前記第２搬送路内の現像剤を互いに逆方向に撹拌しながら循環搬送する第１搬送部材及び第２搬送部材と、前記第２搬送路内の現像剤を担持してその現像剤に含まれるトナーを感光体ドラムへ供給する現像剤担持部材と、前記第１搬送路に補給トナーを導入するためのトナー補給口とを備えた現像装置において、前記第１搬送路及び前記第２搬送路を、前記第１搬送路の現像剤搬送方向下流側の側端部の底面が前記第２搬送路の現像剤搬送方向上流側の端部の底面より高くなるように構成し、前記第１搬送路及び前記第１搬送部材を、現像剤搬送方向の下流側が上流側よりも高くなるように傾斜して設けることで、前記第１搬送路の現像剤搬送方向の下流側に搬送されてきた現像剤が、前記第２搬送路の現像剤搬送方向の上流側へスムーズに移動できるため、現像剤が前記第１搬送路の現像剤搬送方向の下流側で詰まり、圧縮されることによって生じる現像剤へのストレスを軽減できる。これにより、現像剤へのストレスに起因する現像剤の流動性低下を抑えて、現像剤の搬送性の向上を図ることができる。
【００２２】
また、本発明によれば、前記第２搬送路及び前記現像剤担持部材を略水平に設け、前記第１搬送路のみを傾斜して設けることで、前記現像剤担持部材の軸方向における現像剤の偏りが生じにくくなるため、前記現像剤担持部材の軸方向における現像剤供給量が安定する。
【００２３】
また、本発明によれば、前記第１搬送路と前記第２搬送路の構成として、前記第２搬送路の現像剤搬送方向下流側の端部の底面を、前記第１搬送路の現像剤搬送方向上流側の端部の底面より高くすることで、前記第２搬送路の現像剤搬送方向下流側に搬送されてきた現像剤が、前記第１搬送路の現像剤搬送方向上流側へスムーズに移動できるため、現像剤が前記第２搬送路の現像剤搬送方向下流側で詰まり、圧縮されることによって生じる現像剤へのストレスを軽減できる
【００２４】
また、本発明によれば、前記第1搬送部材と前記第２搬送部材の構成として、回転軸と、該回転軸の軸線方向に対して垂直方向に突出形成される螺旋状の羽根体を備えるスクリューオーガを用いて、前記羽根体のピッチを、現像剤搬送方向下流側のピッチより現像剤搬送方向上流側のピッチを長くすることで、前記第１搬送路において、現像剤搬送速度が現像剤搬送方向下流側より上流側で速くなることから、現像剤が重力により現像剤搬送方向上流側の低い位置に偏ることを防止できる。さらに、前記トナー補給口下の現像剤の表面が低くなることから、トナーが現像剤と混ざりやすくなる。
【００２５】
また、本発明によれば、前記第１搬送路の現像剤搬送方向下流側の端部の底面と、前記第２搬送路の現像剤搬送方向上流側の端部の底面との高度差を、前記第２搬送部材の外径の０．３倍以上１．１倍以内とすることで、前記第１搬送路の現像剤搬送方向下流側と前記第２搬送路の現像剤搬送方向上流側との間に適度な高低差が生じることから、前記第１搬送路から前記第２搬送路への現像剤の流れがスムーズになる。
【００２６】
また、本発明によれば、前記第２搬送路の現像剤搬送方向下流側の端部の底面と、前記第１搬送路の現像剤搬送方向上流側の端部の底面との高度差を、前記第１搬送部材の外径の０．３倍以上１．１倍以内とすることで、前記第２搬送路の現像剤搬送方向下流側と前記第１搬送路の現像剤搬送方向上流側との間に適度な高低差が生じることから、前記第２搬送路から前記第１搬送路への現像剤の流れがスムーズになる。
【００２７】
また、本発明によれば、表面に静電潜像が形成される感光体ドラムと、感光体ドラム表面を帯電させる帯電装置と、感光体ドラム表面に静電潜像を形成する露光装置と、感光体ドラム表面の静電潜像にトナーを供給してトナー像を形成する現像装置と、感光体ドラム表面のトナー像を記録媒体に転写する転写装置と、前記転写されたトナー像を記録媒体に定着させる定着装置とを備え、電子写真方式によりトナーを用いて画像を形成する画像形成装置において、前記現像装置として、請求項１乃至６のうちの何れか一項に記載の現像装置を用いることで、前記現像装置の搬送路内で搬送される現像剤が圧縮されて生じるストレスを軽減できるため、現像剤へのストレスに起因する現像剤の流動性低下を抑えることができる。これにより、安定してトナーを供給できるのでカブリや画像濃度低下のない画像が得られる画像形成装置を実現できる。
【図面の簡単な説明】
【００２８】
【図１】本発明の実施形態に係る現像装置が用いられた画像形成装置の全体の構成を示す説明図である。
【図２】前記画像形成装置を構成するトナー補給装置の概略構成を示す断面図である。
【図３】図２のＧ−Ｇ断面矢視図である。
【図４】前記画像形成装置を構成する現像装置の構成を示す断面図である。
【図５】図４のＡ−Ａ断面矢視図である。
【図６】図４のＢ−Ｂ断面矢視図である。
【図７】図４のＣ−Ｃ断面矢視図である。
【図８】図５のＤ−Ｄ断面矢視図である。
【図９】図５のＦ−Ｆ断面矢視図である。
【図１０】前記現像装置を構成する第１搬送部材の回転による現像剤の搬送状態を示す説明図である。
【図１１】前記現像装置の第２搬送路の現像剤搬送方向下流側に搬送されてきた現像剤が第１搬送路の現像剤搬送方向上流側に移動する状態を示す説明図である。
【図１２】前記現像装置の第１搬送路の現像剤搬送方向下流側に搬送されてきた現像剤が第２搬送路の現像剤搬送方向上流側に移動する状態を示す説明図である。
【発明を実施するための形態】
【００２９】
以下、本発明を実施するための形態について図面を参照して説明する。
図１は発明を実施する形態の一例であって、本発明の実施形態に係る現像装置が用いられた画像形成装置の全体の構成を示す説明図である。
【００３０】
本実施形態は、図１に示すように、表面に静電潜像が形成される感光体ドラム３と、感光体ドラム３表面を帯電させる帯電器（帯電装置）５と、感光体ドラム３表面に静電潜像を形成する露光ユニット（露光装置）１と、感光体ドラム３表面の静電潜像にトナーを供給してトナー像を形成する現像装置２と、現像装置２にトナーを補給するトナー補給装置２２と、感光体ドラム３表面のトナー像を記録媒体に転写する中間転写ベルトユニット（転写装置）８と、トナー像を記録媒体に定着させる定着ユニット（定着装置）１２とを備え、電子写真方式によりトナーを用いて画像を形成する画像形成装置１００において、現像装置２として、本発明に係る現像装置の構成を採用したものである。
【００３１】
この画像形成装置１００は、外部から伝達される画像データに応じて所定のシート（記録用紙，記録媒体）に多色または単色の画像を形成するものである。なお、画像形成装置１００の上方にスキャナ等を備えてもよい。
【００３２】
まず、画像形成装置１００の全体構成について説明する。
画像形成装置１００は、図１に示すように、黒（Ｋ）、シアン（Ｃ）、マゼンタ（Ｍ）及びイエロー（Ｙ）の色成分毎の画像データが取り扱われ、黒画像、シアン画像、マゼンタ画像、イエロー画像が形成され、各々の色成分の画像を重畳することによってカラー画像が形成されるようになっている。
【００３３】
したがって、画像形成装置１００においては、図１に示すように、各色成分の画像が形成されるように、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナユニット４（４ａ，４ｂ，４ｃ，４ｄ）がそれぞれ４個ずつ設けられている。言い換えると、現像装置２と感光体ドラム３と帯電器５とクリーナユニット４とを１つずつ含む画像形成ステーション（画像形成部）が４つ設けられることになる。
【００３４】
なお、上記ａ〜ｄの符号は、ａが黒画像形成用の部材、ｂがシアン画像形成用の部材、ｃがマゼンタ画像形成用の部材、ｄがイエロー画像形成用の部材であることを示したものである。また、画像形成装置１００には、露光ユニット１、定着ユニット１２、シート搬送路Ｓ、給紙トレイ１０及び排紙トレイ１５が備えられている。
【００３５】
帯電器５は、感光体ドラム３の表面を所定の電位に均一に帯電させるものである。
帯電器５としては、図１に示す接触ローラ型の帯電器の他、接触ブラシ型の帯電器、或いは非接触チャージャー型の帯電器などが使用されることもある。
【００３６】
露光ユニット１は、図１に示すように、レーザ照射部及び反射ミラーを備えたレーザスキャニングユニット（ＬＳＵ）である。但し、レーザスキャニングユニット以外に、発光素子をアレイ状に並べたＥＬ（エレクトロルミネッセンス）やＬＥＤ書込みヘッドを露光ユニット１とすることもできる。露光ユニット１は、帯電された感光体ドラム３を入力された画像データに応じて露光することにより、感光体ドラム３の表面に画像データに応じた静電潜像を形成する。
【００３７】
現像装置２は、感光体ドラム３に形成された静電潜像をＫ，Ｃ，Ｍ，Ｙのいずれかのトナーにより顕像化する（現像する）ものである。現像装置２（２ａ，２ｂ，２ｃ，２ｄ）の上部には、トナー移送機構１０２（１０２ａ，１０２ｂ，１０２ｃ，１０２ｄ）、トナー補給装置２２（２２ａ，２２ｂ，２２ｃ，２２ｄ）、現像槽（現像剤収容部）１１１（１１１ａ，１１１ｂ，１１１ｃ，１１１ｄ）を備えている。
【００３８】
トナー補給装置２２は、現像槽１１１よりも上方に配され、未使用トナー（粉体状のトナー）を貯蔵している。トナー補給装置２２から現像槽１１１へトナー移送機構１０２を介してトナーが供給されるようになっている。
【００３９】
クリーナユニット４は、現像及び画像転写工程後に感光体ドラム３の表面に残留しているトナーを除去し、回収するものである。
【００４０】
感光体ドラム３の上方には中間転写ベルトユニット８が配置されている。中間転写ベルトユニット８は、中間転写ローラ６（６ａ，６ｂ，６ｃ，６ｄ）、中間転写ベルト７、中間転写ベルト駆動ローラ７１、中間転写ベルト従動ローラ７２、中間転写ベルトテンション機構７３、及び中間転写ベルトクリーニングユニット９を備えている。
【００４１】
中間転写ローラ６、中間転写ベルト駆動ローラ７１、中間転写ベルト従動ローラ７２、中間転写ベルトテンション機構７３は、中間転写ベルト７を張架し、図１の矢印Ｂ方向に中間転写ベルト７を回転駆動させるものである。
【００４２】
中間転写ローラ６は、中間転写ベルトユニット８の中間転写ベルトテンション機構７３における中間転写ローラ取付部に回転可能に支持されている。中間転写ローラ６には感光体ドラム３のトナー像を中間転写ベルト７上に転写するための転写バイアスが印加されている。
【００４３】
中間転写ベルト７は、各感光体ドラム３に接触するように設けられている。中間転写ベルト７上には、感光体ドラム３に形成された各色成分のトナー像が順次重ねて転写されることにより、カラーのトナー像（多色トナー像）が形成される。中間転写ベルト７は、厚さが例えば１００μｍ〜１５０μｍ程度のフィルムを用いて無端状に形成されている。
【００４４】
感光体ドラム３から中間転写ベルト７へのトナー像の転写は、中間転写ベルト７の裏側に接触している中間転写ローラ６によって行われる。中間転写ローラ６には、トナー像を転写するために高電圧の転写バイアス（トナーの帯電極性（−）とは逆極性（＋）の高電圧）が印加されている。
【００４５】
中間転写ローラ６は、直径が例えば８〜１０ｍｍの金属（例えばステンレス）軸をベースとして形成され、表面が導電性の弾性材（例えばＥＰＤＭ，発泡ウレタン等）により覆われている。この導電性の弾性材により、中間転写ローラ６は中間転写ベルト７に対して均一に高電圧を印加することができる。本実施の形態では、転写電極としてローラ形状のもの（中間転写ローラ６）を使用しているが、これ以外にブラシなども用いることが可能である。
【００４６】
上述のように各感光体ドラム３上の静電潜像は各色成分に応じたトナーにより顕像化されてそれぞれトナー像となり、これらトナー像は中間転写ベルト７上に重ねて合わされ積層される。このように、積層されたトナー像は、中間転写ベルト７の回転によって、搬送されてきた用紙と中間転写ベルト７との接触位置（転写部）に移動し、この位置に配置されている転写ローラ１１によって用紙上に転写される。この場合、中間転写ベルト７と転写ローラ１１とは所定ニップで互いに圧接されるとともに、転写ローラ１１にはトナー像を用紙に転写させるための電圧が印加される。この電圧は、トナーの帯電極性（−）とは逆極性（＋）の高電圧である。
【００４７】
上記ニップを定常的に得るために、転写ローラ１１もしくは中間転写ベルト駆動ローラ７１の何れか一方は金属等の硬質材料から形成され、他方は弾性ローラ等の軟質材料（弾性ゴムローラまたは発泡性樹脂ローラ等）から形成される。
【００４８】
中間転写ベルト７と感光体ドラム３との接触により中間転写ベルト７に付着したトナー、及び中間転写ベルト７から用紙へのトナー像の転写の際に転写されずに中間転写ベルト７上に残存したトナーは、次工程でトナーの混色を発生させる原因となるために、中間転写ベルトクリーニングユニット９によって除去され回収される。
【００４９】
中間転写ベルトクリーニングユニット９には、中間転写ベルト７に接触するクリーニングブレード（クリーニング部材）が備えられている。中間転写ベルト７におけるクリーニングブレードに接触している部分は、裏側から中間転写ベルト従動ローラ７２にて支持されている。
【００５０】
給紙トレイ１０は、画像形成に使用するシート（例えば記録用紙）を蓄積しておくためのものであり、画像形成部及び露光ユニット１の下側に設けられている。一方、画像形成装置１００の上部に設けられている排紙トレイ１５は、印刷済みのシートをフェイスダウンで載置するためのものである。
【００５１】
また、画像形成装置１００には、給紙トレイ１０のシート及び手差しトレイ２０のシートを転写部や定着ユニット１２を経由させて排紙トレイ１５に案内するためのシート搬送路Ｓが設けられている。なお、転写部は中間転写ベルト駆動ローラ７１と転写ローラ１１との間に位置する。
【００５２】
さらに、シート搬送路Ｓには、ピックアップローラ１６（１６ａ，１６ｂ）、レジストローラ１４、転写部、定着ユニット１２、搬送ローラ２５（２５ａ〜２５ｈ）等が配置されている。
【００５３】
搬送ローラ２５は、シートの搬送を促進・補助するための小型のローラであり、シート搬送路Ｓに沿って複数設けられている。ピックアップローラ１６ａは、給紙トレイ１０の端部に備えられ、給紙トレイ１０からシートを１枚ずつシート搬送路Ｓに供給する呼び込みローラである。ピックアップローラ１６ｂは、手差しトレイ２０の近傍に備えられ、手差しトレイ２０からシートを１枚ずつシート搬送路Ｓに供給する呼び込みローラである。レジストローラ１４は、シート搬送路Ｓを搬送されているシートを一旦保持し、中間転写ベルト７上のトナー像の先端とシートの先端とを合わせるタイミングでシートを転写部に搬送するものである。
【００５４】
定着ユニット１２は、ヒートローラ８１及び加圧ローラ８２等を備え、これらヒートローラ８１及び加圧ローラ８２はシートを挟んで回転する。ヒートローラ８１は、所定の定着温度となるように制御部（図示せず）によって制御される。この制御部は温度検出器（図示せず）からの検出信号に基づいてヒートローラ８１の温度を制御する。
【００５５】
ヒートローラ８１は、加圧ローラ８２とともにシートを熱圧着することにより、シートに転写されている各色トナー像を溶融、混合、圧接させ、シートに対して熱定着させる。なお、多色トナー像（各色トナー像）が定着されたシートは、複数の搬送ローラ２５によってシート搬送路Ｓの反転排紙経路に搬送され、反転された状態（多色トナー像を下側に向けた状態）にて、排紙トレイ１５上に排出される。
【００５６】
次に、シート搬送路Ｓによるシート搬送動作について説明する。
画像形成装置１００には、図１に示すように、上述したように予めシートを収納する給紙トレイ１０、及び少数枚の印字を行う場合等に使用される手差しトレイ２０が配置されている。これら両トレイには各々ピックアップローラ１６（１６ａ，１６ｂ）が配置され、これらピックアップローラ１６によってシートを１枚ずつシート搬送路Ｓに供給するようになっている。
【００５７】
片面印字の場合は、給紙トレイ１０から搬送されるシートは、シート搬送路Ｓ中の搬送ローラ２５ａによってレジストローラ１４まで搬送され、レジストローラ１４によりシートの先端と中間転写ベルト７上の積層されたトナー像の先端とが整合するタイミングで転写部（転写ローラ１１と中間転写ベルト７との接触位置）に搬送される。転写部ではシート上にトナー像が転写され、このトナー像は定着ユニット１２にてシート上に定着される。その後、シートは、搬送ローラ２５ｂを経て排紙ローラ２５ｃから排紙トレイ１５上に排出される。
【００５８】
また、手差しトレイ２０から搬送されるシートは、複数の搬送ローラ２５（２５ｆ，２５ｅ，２５ｄ）によってレジストローラ１４まで搬送される。それ以降のシート搬送動作は、上述した給紙トレイ１０から供給されるシートと同様の経過を経て排紙トレイ１５に排出される。
【００５９】
一方、両面印字の場合は、上記のようにして片面印字が終了し定着ユニット１２を通過したシートは、後端が排紙ローラ２５ｃにてチャックされる。次に、シートは、排紙ローラ２５ｃが逆回転することによって搬送ローラ２５ｇ，２５ｈに導かれ、再びレジストローラ１４を経て裏面印字が行われた後に、排紙トレイ１５に排出される。
【００６０】
次に、本実施形態のトナー補給装置２２の構成について具体的に説明する。
図２は本実施形態に係る画像形成装置を構成するトナー補給装置の概略構成を示す断面図、図３は図２のＧ−Ｇ断面矢視図である。
【００６１】
トナー補給装置２２は、図２に示すように、トナー収容容器１２１、トナー攪拌部材１２５、トナー排出部材１２２およびトナー排出口１２３を含む。トナー補給装置２２は、現像槽１１１の上側に配され、未使用トナー（粉体状のトナー）を貯蔵している。トナー補給装置２２内のトナーはトナー排出部材（排出スクリュー）１２２を回転させることによって、トナー排出口１２３からトナー移送機構１０２を介して現像槽１１１へ供給されるようになっている。
【００６２】
トナー収容容器１２１は、内部空間を有するほぼ半円筒状の容器部材であり、トナー攪拌部材１２５、トナー排出部材１２２を回転自在に支持し、トナーを収容する。トナー排出口１２３は、トナー排出部材１２２の下部、軸方向中央部よりに設けられる略長方形の開口部であり、トナー移送機構１０２を臨む位置に配置される。
【００６３】
トナー攪拌部材１２５は、回転軸１２５ａを中心に回転することにより、トナー収容容器１２１内に収容されるトナーを攪拌しながら、トナー収容容器１２１内のトナーを汲み上げてトナー排出部材１２２へ搬送する板状の部材で、先端にトナー汲み上げ部材１２５ｂを備える。トナー汲み上げ部材１２５ｂは、可撓性を有するポリエチレンテレフタレート（ＰＥＴ）シートからなり、トナー攪拌部材１２５の両端に取付けられる。
【００６４】
トナー排出部材１２２は、トナー収容容器１２１内のトナーをトナー排出口１２３から現像槽１１１に供給するもので、図３に示すように、トナー搬送羽根１２２ａとトナー排出部材回転軸１２２ｂとを含むスクリューオーガ、並びにトナー排出部材回転ギア１２２ｃで構成されている。トナー排出部材１２２は、図示しないトナー排出部材駆動モータによって回転駆動されるようになっている。スクリューオーガの向きは、トナー排出部材１２２の軸方向両端からトナー排出口１２３側に向けて、トナーが搬送されるように設定されている。
【００６５】
トナー排出部材１２２とトナー攪拌部材１２５との間には、トナー排出部材隔壁１２４が設けられる。これによって、トナー攪拌部材１２５によって汲み上げられたトナーがトナー排出部材１２２の周辺に適量のトナーを保持できる。
【００６６】
トナー攪拌部材１２５は、図２に示すように、矢印Ｚ方向に回転してトナーを撹拌し、トナー排出部材１２２の方へ汲み上げる。このとき、トナー汲み上げ部材１２５ｂは、その可撓性によって、トナー収容容器１２１の内壁に沿って摺動して変形しつつ回転し、トナーをトナー排出部材１２２側に供給する。そして、トナー排出部材１２２が回転することにより、供給されたトナーをトナー排出口１２３へと導くようになっている。
【００６７】
次に、本実施形態の特徴的な現像装置２について図面を参照して説明する。
図４は本実施形態に係る画像形成装置を構成する現像装置の構成を示す断面図、図５は図４のＡ−Ａ断面矢視図である。
【００６８】
現像装置２は、図４に示すように、現像槽１１１内に、感光体ドラム３と対向するように配置された現像ローラ（現像剤担持部材）１１４を有し、現像ローラ１１４によって感光体ドラム３の表面にトナーを供給して、感光体ドラム３の表面に形成された静電潜像を顕像化する（現像する）装置である。
【００６９】
現像装置２は、現像ローラ１１４の他に、現像槽１１１、現像槽カバー１１５、トナー補給口１１５ａ、ドクターブレード１１６、第１搬送部材１１２、第２搬送部材１１３、仕切り板（仕切り壁）１１７、トナー濃度検知センサ１１９を備えている。
【００７０】
現像槽１１１は、トナーとキャリアとを含む２成分現像剤（以下、単に「現像剤」と称する。）を収容する槽である。また、現像槽１１１には、現像ローラ１１４、第１搬送部材１１２、第２搬送部材１１３等が配設されている。なお、本実施形態のキャリアは、磁性を有する磁性キャリアである。
【００７１】
現像ローラ１１４は、図示しない駆動手段によって軸心回りに回転駆動するマグネットローラであり、現像槽１１１の現像剤を表面に汲み上げて担持し、表面に担持している現像剤に含まれるトナーを感光体ドラム３に供給するものである。
【００７２】
現像ローラ１１４で搬送される現像剤は、最近接部分で感光体ドラム３と接触する。この接触領域が現像ニップ部Ｎであり、現像ニップ部Ｎでは、現像ローラ１１４に接続される図示しない電源から現像ローラ１１４に対して現像バイアス電圧が印加され、現像ローラ１１４表面の現像剤から感光体ドラム３表面の静電潜像へトナーが供給される。
【００７３】
現像ローラ１１４の表面に近接する位置にはドクターブレード（層厚規制用ブレード）１１６が配されている。
【００７４】
ドクターブレード１１６は、現像ローラ１１４の軸線方向に平行に延びる板状部材であり、現像ローラ１１４の鉛直方向下方において、その短手方向の一端が現像槽１１１によって支持され、かつ他端が現像ローラ１１４表面に対して間隙を有して離隔するように設けられる。ドクターブレード１１６の材料としては、ステンレス鋼が使用できるが、アルミニウムや合成樹脂なども使用できる。
【００７５】
トナー濃度検知センサ１１９は、第２搬送部材１１３の鉛直方向下方の現像槽１１１底面に装着され、センサ面が現像槽１１１の内部に露出するように設けられる。トナー濃度検知センサ１１９は図示しないトナー濃度制御手段に電気的に接続される。トナー濃度制御手段は、トナー濃度検知センサ１１９が検知するトナー濃度測定値に応じて、図３に示すように、トナー排出部材１２２を回転駆動させ、トナー排出口１２３を介して現像槽１１１内部にトナーを供給するように制御する。
【００７６】
トナー濃度検知センサ１１９によるトナー濃度測定値がトナー濃度設定値よりも低いと判定すると、トナー排出部材１２２を回転駆動させる駆動手段に制御信号を送り、トナー排出部材１２２を回転駆動させる。トナー濃度検知センサ１１９には一般的なトナー濃度検知センサを使用でき、たとえば、透過光検知センサ、反射光検知センサ、透磁率検知センサなどが挙げられる。これらの中でも、透磁率検知センサが好ましい。
【００７７】
透磁率検知センサには図示しない電源が接続される。電源は、透磁率検知センサを駆動させるための駆動電圧およびトナー濃度の検知結果を制御手段に出力するための制御電圧を透磁率検知センサに印加する。電源による透磁率検知センサへの電圧の印加は、制御手段によって制御される。透磁率検知センサは、制御電圧の印加を受けてトナー濃度の検知結果を出力電圧値として出力する型式のセンサであり、基本的に出力電圧の中央値近傍の感度がよいため、その付近の出力電圧が得られるような制御電圧を印加して用いられる。このような型式の透磁率検知センサは市販されており、たとえば、ＴＳ−Ｌ、ＴＳ−Ａ、ＴＳ−Ｋ（いずれも商品名、ＴＤＫ（株）社製）などが挙げられる。
【００７８】
また、現像槽１１１の上側には、図４に示すように、取り外し可能な現像槽カバー１１５が設けられている。さらに、現像槽カバー１１５には、現像槽１１１内に未使用のトナーを補給するためのトナー補給口１１５ａが形成されている。
【００７９】
そして、図１に示すように、トナー補給装置２２に収容されているトナーは、トナー移送機構１０２及びトナー補給口１１５ａを介して現像槽１１１内に移送され、これにより現像槽１１１にトナーが補給されるようになっている。
【００８０】
第１搬送部材１１２は、図５に示すように、螺旋状の第１搬送羽根１１２ａと第１回転軸１１２ｂからなるスクリューオーガと、ギア１１２ｃにより構成されている。第２搬送部材１１３は、図５に示すように、螺旋状の第２搬送羽根１１３ａと第２回転軸１１３ｂからなるスクリューオーガと、ギア１１２ｃにより構成されている。第１搬送部材１１２及び第２搬送部材１１３は、モータ等の駆動手段（図示せず）によって回転駆動することにより現像剤を撹拌すると共に搬送するようになっている。
【００８１】
現像槽１１１には、第１搬送部材１１２と第２搬送部材１１３との間に仕切り板１１７が配設されている。仕切り板１１７は、第１搬送部材１１２及び第２搬送部材１１３の各軸方向（各回転軸方向）に平行に延設されている。現像槽１１１の内部は、仕切り板１１７によって、第１搬送部材１１２が配されている第１搬送路Ｐと、第２搬送部材１１３が配されている第２搬送路Ｑとに区画される。
【００８２】
仕切り板１１７は、第１搬送部材１１２及び第２搬送部材１１３の各軸方向の両端部において、現像槽１１１の内側の壁面から離間して配置されている。これにより、現像槽１１１には、第１搬送部材１１２及び第２搬送部材１１３の各軸方向の両端部付近において、第１搬送路Ｐと第２搬送路Ｑとを連通する連通路が形成されている。以下では、図５に示されるように、矢印Ｘ方向側に形成されている連通路を第１連通路ａ、矢印Ｙ方向側に形成されている連通路を第２連通路ｂと称する。
【００８３】
第１搬送部材１１２及び第２搬送部材１１３は、互いの周面同士が仕切り板１１７を介して対向するように且つ互いの軸同士が平行になるように並列され、互いに逆方向に回転するように設定されている。そして、第１搬送部材１１２は、図５に示すように、矢印Ｘ方向に二成分現像剤を搬送し、第２搬送部材１１３は、矢印Ｘ方向とは逆の矢印Ｙ方向に現像剤を搬送するように設定されている。
【００８４】
トナー補給口１１５ａは第１搬送路Ｐ内の領域であり且つ第２連通路ｂよりも矢印Ｘ方向側の位置に形成されている。つまり、第１搬送路Ｐにおいて、第２連通路ｂの下流側にトナーが補給されることになる。
【００８５】
現像槽１１１において、第１搬送部材１１２及び第２搬送部材１１３は、モータ等の駆動手段（図示せず）によって回転駆動し、現像剤を搬送する。
具体的には、第１搬送路Ｐにおいて、現像剤は、第１搬送部材１１２によって撹拌されながら矢印Ｘ方向へ搬送され、第１連通路ａに到達する。第１連通路ａに到達した現像剤は、第１連通路ａを通過して第２搬送路Ｑへ搬送される。
【００８６】
一方、第２搬送路Ｑにおいて、現像剤は、第２搬送部材１１３によって、撹拌されながら矢印Ｙ方向へ搬送され、第２連通路ｂに到達する。そして、第２連通路ｂに到達した現像剤は、第２連通路ｂを通過して第１搬送路Ｐへ搬送される。
つまり、第１搬送部材１１２と第２搬送部材１１３とは、互いに逆方向に現像剤を撹拌しながら搬送している。
【００８７】
このようにして、現像剤は、現像槽１１１において、第１搬送路Ｐと第１連通路ａと第２搬送路Ｑと第２連通路ｂとを、第１搬送路Ｐ→第１連通路ａ→第２搬送路Ｑ→第２連通路ｂ、という順序にて循環移動していることになる。そして、現像剤は、第２搬送路Ｑにて搬送されている間に、現像ローラ１１４の回転にてその表面に担持されて汲み上げられ、汲み上げられた現像剤中のトナーが感光体ドラム３へと移動して、順次消費されていく。
【００８８】
このように消費されるトナーを補うべく、未使用のトナーがトナー補給口１１５ａから第１搬送路Ｐへ補給される。補給されたトナーは第１搬送路Ｐにおいて従前より存在する現像剤と混合撹拌される。
【００８９】
次に、本発明の特徴点となる現像槽１１１、第１搬送部材１１２の特徴的な構成について図面を参照して詳細に説明する。
図６は図４のＢ−Ｂ断面矢視図、図７は図４のＣ−Ｃ断面矢視図、図８は図５のＤ−Ｄ断面矢視図、図９は図５のＦ−Ｆ断面矢視図である。
尚、図４は図５のＥ−Ｅ断面矢視図となる。
【００９０】
現像槽１１１は、図６に示すように、第１搬送路Ｐが現像剤搬送方向下流側に向かいに上り傾斜で設けられている。
現像槽１１１の底面は、図９に示すように、第１搬送路Ｐの現像剤搬送方向下流側の端部の底面Ｐ２が、第２搬送路Ｑの現像剤搬送方向上流側の端部の底面Ｑ１より高くなっており、また、図８に示すように、第２搬送路Ｑの現像剤搬送方向下流側の端部の底面Ｑ２が、第１搬送路Ｐの現像剤搬送方向上流側の端部の底面Ｐ１より高くなっている。
【００９１】
第２搬送路Ｑおよび現像ローラ１１４は、図４，図７に示すように、水平に設けられている。このように構成することにより、第２搬送路Ｑ内の現像ローラ１１４の軸方向における現像剤の偏りが生じにくいため、現像ローラ１１４の軸方向における現像剤供給量が安定する。
【００９２】
また、第１搬送部材１１２は、図６に示すように、第１搬送羽根１１２ａの現像剤搬送方向上流側の螺旋ピッチＤ１が、現像剤搬送方向下流側の螺旋ピッチＤ２より大きく（長く）なるように構成されている。螺旋ピッチとは、搬送羽根１１２ａが第１回転軸１１２ｂまわりを１周する際の回転軸方向の長さを示す。
【００９３】
本実施形態では、螺旋ピッチＤ１と螺旋ピッチＤ２との比は、現像剤の流動性などを考慮して設定されるが、本実施形態では、螺旋ピッチＤ１は、螺旋ピッチＤ２の１．５倍となるように形成されている。
【００９４】
第１搬送路Ｐの現像剤搬送方向下流側の端部の底面Ｐ２と第２搬送路Ｑの現像剤搬送方向上流側の端部の底面Ｑ１との高度差としては、第２搬送部材１１３の外径（直径）の０．３倍以上１．１倍以内であることが好ましく、このように構成することで現像剤の流れがスムーズになる。
【００９５】
０．３倍未満では、第１搬送路Ｐの現像剤搬送方向下流側の底面Ｐ２と第２搬送路の現像剤搬送方向上流側の底面Ｑ１の高低差が小さくなり、十分な現像剤の搬送性が得られなくなる。一方、１．１倍を超えると、現像剤が第１搬送路Ｐの端部に到達する前に第２搬送路Ｑ側に流れてしまうので、現像剤を混合攪拌できる距離が短くなり、非効率な搬送部材の設計となる。
【００９６】
また、第２搬送路Ｑの現像剤搬送方向下流側の端部の底面Ｑ２と第１搬送路Ｐの現像剤搬送方向上流側の端部の底面Ｐ１との高度差としては、第１搬送部材１１２の外径（直径）の０．３倍以上０．８倍以内であることが好ましく、このように構成することで現像剤の流れがスムーズになる。
【００９７】
０．３倍未満では、第２搬送路Ｑの現像剤搬送方向下流側の底面Ｑ２と第１搬送路Ｐの現像剤搬送方向上流側の底面Ｐ１の高低差が小さくなり、十分な現像剤の搬送性が得られなくなる。一方、０．８倍を超えると、現像剤が第２搬送路Ｑの端部に到達する前に第１搬送路Ｐ側に流れてしまうので、現像ローラ１１４に供給する現像剤量が減少し、端部において画像濃度が低下しやすくなる。
【００９８】
次に、本実施形態の現像装置２による現像剤搬送における作用について図面を参照して説明する。
図１０は本実施形態に係る現像装置を構成する第１搬送部材の回転による現像剤の搬送状態を示す説明図、図１１は前記現像装置の第２搬送路の現像剤搬送方向下流側に搬送されてきた現像剤が第１搬送路の現像剤搬送方向上流側に移動する状態を示す説明図、図１２は前記現像装置の第１搬送路の現像剤搬送方向下流側に搬送されてきた現像剤が第２搬送路の現像剤搬送方向上流側に移動する状態を示す説明図である。
【００９９】
現像装置２における第１搬送部材１１２による現像剤の搬送は、図１０に示すように、第1搬送部材１１２の現像剤搬送方向上流側１１２ａａの螺旋ピッチＤ１が、現像剤搬送方向下流側１１２ａｂの螺旋ピッチＤ２より長く形成されているため、現像剤搬送速度が下流側より上流側で速くなる。
【０１００】
これにより、第１搬送路Ｐにおいては、現像剤搬送方向の下流側よりも上流側の方が現像剤Ｇの搬送量が多いため、現像剤Ｇが重力により現像剤搬送方向上流側の低い位置に偏ることを防止できる。さらには、この作用によりトナー補給口１１５ａ下の現像剤Ｇの表面（剤面）が低くなることから、補給されたトナーが現像剤Ｇと混ざりやすくなる。
【０１０１】
また、現像装置２において、第２搬送部材１１３により第２搬送路Ｑの現像剤搬送方向下流側に搬送されてきた現像剤Ｇは、図１１に示すように、第２搬送路Ｑの現像剤搬送方向下流側の端部の底面Ｑ２が、第１搬送路Ｐの現像剤搬送方向上流側の端部の底面Ｐ１より高くなっているため、第２搬送路Ｑの底面Ｑ２から第１搬送路Ｐの底面Ｐ１に移動する。
【０１０２】
そして、第１搬送部材１１２により第１搬送路Ｐの現像剤搬送方向上流側より下流側に搬送されてきた現像剤Ｇは、図１２に示すように、第１搬送路Ｐの現像剤搬送方向下流側の端部の底面Ｐ２が、第２搬送路Ｑの現像剤搬送方向上流側の端部の底面Ｑ１より高くなっているため、第１搬送路Ｐの底面Ｐ２から第２搬送路Ｑの底面Ｑ１に移動する。
【０１０３】
このようにして、第１搬送路Ｐと第２搬送路Ｑの高低差を利用することにより、現像剤Ｇに過度なストレスを与えることなくスムーズに搬送できる。
【０１０４】
以上のように構成したので、本実施形態によれば、画像形成装置１００の現像装置２において、現像槽１１１内の第１搬送路Ｐ及び第１搬送部材１１２を現像剤搬送方向下流側に向かいに上り傾斜で設けるとともに、第１搬送路Ｐの現像剤搬送方向下流側の端部の底面Ｐ２を、第２搬送路Ｑの現像剤搬送方向上流側の端部の底面Ｑ１より高い位置に構成し、また、第２搬送路Ｑの現像剤搬送方向下流側の端部の底面Ｑ２を、第１搬送路Ｐの現像剤搬送方向上流側の端部の底面Ｐ１より高い位置に構成することで、第１搬送路Ｐと第２搬送路Ｑの高低差を利用することにより、現像剤Ｇに過度なストレスを与えることなくスムーズに搬送できる。これにより、現像剤Ｇが第１搬送路Ｐの現像剤搬送方向下流側や第２搬送路Ｑの現像剤搬送方向下流側で詰まったり、圧縮されたりすることによって生じる現像剤Ｇへのストレスを軽減でき、現像剤Ｇの搬送性の向上を図ることができる。
【０１０５】
そして、本実施形態によれば、現像装置２により安定してトナーを供給できるので、画像形成装置１００において、カブリや画像濃度低下のない良好な画像を得ることができる。
【０１０６】
また、本実施形態によれば、第１搬送部材１１２の第１搬送羽根１１２ａを、現像剤搬送方向上流側１１２ａａの螺旋ピッチＤ１が、現像剤搬送方向下流側１１２ａｂの螺旋ピッチＤ２より大きく（長く）なるように構成したので、第１搬送路Ｐにおいて、現像剤搬送速度が現像剤搬送方向の下流側より上流側で速くなり、これにより、現像剤搬送方向の下流側よりも上流側の方が現像剤Ｇの搬送量を多くなるので、現像剤Ｇが重力により現像剤搬送方向上流側の低い位置に偏ることを防止して、現像剤Ｇの搬送性の向上を図ることができる。
【０１０７】
尚、上述した実施形態では、本発明に係る現像装置２を図１に示すような画像形成装置１００に適用した例について説明したが、現像槽内に第１搬送路及び第２搬送路を備えて第１搬送部材及び第２搬送部材により現像剤を撹拌搬送するようにした現像装置を用いる画像形成装置であれば、上述したような構成の画像形成装置や複写機に限定されるものではなく、その他の画像形成装置等に展開が可能である。
【０１０８】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【０１０９】
１  露光ユニット（露光装置）
２  現像装置
３  感光体ドラム
５  帯電器（帯電装置）
８  中間転写ベルトユニット（転写装置）
１２  定着ユニット（定着装置）
２２  トナー補給装置
１００  画像形成装置
１１１  現像槽（現像剤収容部）
１１２  第１搬送部材（現像剤搬送部材）
１１２ａ  第１搬送羽根
１１３  第２搬送部材（現像剤搬送部材）
１１３ａ  第２搬送羽根
１１４  現像ローラ（現像剤担持部材）
１１５ａ  トナー補給口
Ｄ１  螺旋ピッチ（現像剤搬送方向上流側）
Ｄ２  螺旋ピッチ（現像剤搬送方向下流側）
Ｐ  第１搬送路（現像剤搬送路）
Ｐ１  底面（現像剤搬送方向上流側）
Ｐ２  底面（現像剤搬送方向下流側）
Ｑ  第２搬送路（現像剤搬送路）
Ｑ１  底面（現像剤搬送方向上流側）
Ｑ２  底面（現像剤搬送方向下流側）
【図１】
2010160253.tif 000003
【図２】
2010160253.tif 000004
【図３】
2010160253.tif 000005
【図４】
2010160253.tif 000006
【図５】
2010160253.tif 000007
【図６】
2010160253.tif 000008
【図７】
2010160253.tif 000009
【図８】
2010160253.tif 000010
【図９】
2010160253.tif 000011
【図１０】
2010160253.tif 000012
【図１１】
2010160253.tif 000013
【図１２】
2010160253.tif 000014